(57)【要約】      （修正有）【課題】携帯情報端末などの簡易な読取装置を用いて、撮像する角度の探索を行うことなく、容易に情報記録媒体の情報を読み取ることが可能な読み取り方法と、読み取った情報から真贋判定可能な真贋判定方法を提供する。【解決手段】撮像素子２と表示画面３を同一面に備えた携帯情報端末１を用いて、真贋判定対象である戻り光を発する構造体１１を備えた情報記録媒体１０を撮像し、情報を読み取る方法において、前記構造体を照明する手段として、前記表示画面のある位置に表示した照明用パターン４により照明された前記構造体を前記撮像素子にて撮像することによって前記構造体の情報を取得する動作を行う。情報が取得された場合は終了し、情報が取得されなかった場合は、前記表示画面の別の位置に照明用パターン５を表示し、一連の動作を、前記構造体の情報が取得されるまで繰り返すことにより、前記情報記録媒体の情報を取得する。【選択図】図１
2019074778.tif 000002
【特許請求の範囲】
【請求項１】
撮像素子と表示画面を同一面に備えた携帯情報端末を使用して、戻り光を生じる構造体を表面に備えた情報記録媒体の情報の読取り方法であって、
情報記録媒体の構造体を備えた面と、携帯情報端末の撮像素子と表示画面を備えた面と、を対面して配置する配置工程と、
表示画面の中に照明用パターンを表示しながら、撮像素子を用いて構造体を撮像する撮像工程と、を備えていることを特徴とする情報記録媒体の読取り方法。
【請求項２】
撮像素子と表示画面を同一面に備えた携帯情報端末を使用して、戻り光を生じる構造体を表面に備えた情報記録媒体の情報を読取る方法であって、
情報記録媒体の構造体を備えた面と、携帯情報端末の撮像素子を備えた面と、を対面して配置することにより、携帯情報端末が情報記録媒体を撮像可能に配置する工程と、
少なくとも表示画面に、照明用パターンを表示する照明用パターン表示工程と、
照明用パターンの照明光によって、情報記録媒体を撮像する情報記録媒体撮像工程と、
撮像工程で撮像された構造体の画像データに基づいて携帯情報端末が演算処理することにより、構造体の位置を検出する位置検出工程と、
位置検出工程にて構造体の位置が検出されたかどうかを判定する位置検出判定工程と、
位置検出判定工程にて構造体の位置が検出された場合に、検出された位置が適正な位置であるかどうかを判定し、構造体の位置が検出されなかった場合に、照明用パターン表示工程に戻る適正位置判定工程と、
撮像画像の情報を読み込む工程と、
構造体の撮像画像情報を画像情報処理することにより、構造体に記録された情報を読取る画像情報処理工程と、
画像情報処理工程にて構造体に記録された情報を取得できた場合は終了し、取得できなかった場合は、照明用パターン表示工程に戻る情報取得判定工程と、を備えていることを特徴とする情報記録媒体の読み取り方法。
【請求項３】
前記構造体が、２種類以上の異なる回折格子構造を備え、且つ少なくとも一部に反射層を備えていることを特徴とする請求項１に記載の情報記録媒体の読み取り方法。
【請求項４】
前記照明用パターンから発せられる光が偏光であることを特徴とする請求項１または２に記載の情報記録媒体の読み取り方法。
【請求項５】
撮像素子と表示画面を同一面に備えた携帯情報端末を使用して、戻り光を生じる構造体を表面に備えた情報記録媒体の真贋判定方法であって、
情報記録媒体の構造体を備えた面と、携帯情報端末の撮像素子を備えた面と、を対面して配置することにより、携帯情報端末が情報記録媒体を撮像可能に配置する工程と、
表示画面に、照明用パターンを表示する照明用パターン表示工程と、
照明用パターンの照明光によって、情報記録媒体を撮像する情報記録媒体撮像工程と、
撮像工程で撮像された構造体の画像データに基づいて携帯情報端末が演算処理することにより、構造体の位置を検出する位置検出工程と、
位置検出工程にて構造体の位置が検出されたかどうかを判定する位置検出判定工程と、
位置検出判定工程にて構造体の位置が検出された場合に、検出された位置が適正な位置であるかどうかを判定し、構造体の位置が検出されなかった場合に、照明用パターン表示工程に戻る適正位置判定工程と、
適正位置判定工程にて構造体の位置が適正であると判定された場合に、構造体の正解画像情報を読み込み、位置が適正でないと判定された場合に、照明用パターン表示工程に戻る正解画像情報読み込み工程と、
撮像画像の情報を読み込む工程と、
構造体の撮像画像情報を画像情報処理することにより、構造体に記録された情報を読取る画像情報処理工程と、
画像情報処理工程にて構造体に記録された情報を取得できた場合は終了し、取得できなかった場合は、照明用パターン表示工程に戻る情報取得判定工程と、
情報取得判定工程にて情報を取得できた場合に正解画像情報を読み込む工程と、
取得した画像情報と正解画像情報とを比較し、真贋判定を行う工程と、を備えていることを特徴とする真贋判定方法。
【請求項６】
前記真贋判定を行う工程が、前記取得した画像情報と前記正解画像情報の差の絶対値が予め設定した閾値を越えた場合を贋と判定し、閾値以下である場合を真と判定することを特徴とする請求項５に記載の真贋判定方法。
【請求項７】
前記真贋判定を行う工程が、前記取得した画像情報と前記正解画像情報の類似度を算出し、その類似度が予め設定した閾値以上の場合を真と判定し、閾値未満の場合を贋と判定することを特徴とする請求項５に記載の真贋判定方法。
【請求項８】
前記正解画像情報が、前記携帯情報端末またはインターネット経由でアクセス可能なサーバーに保存されていることを特徴とする請求項５〜７のいずれかに記載の真贋判定方法。
【発明の詳細な説明】
【技術分野】
【０００１】
本発明は、情報記録媒体の真偽判定技術に関する。更に詳しくは、スマートフォンなどの携帯情報端末を使用して情報記録媒体の真贋判定を容易に行うことを可能とする情報記録媒体の読み取り方法と、読み取った情報に基づく真贋判定方法に関する。
【背景技術】
【０００２】
従来、紙幣、株券、商品券さらにはクレジットカードなどの有価証券類や、医薬品、食料品、高級ブランド品などの商品には、商品の偽造・複製による不正使用を防止するために情報記録媒体が用いられている。有価証券類には、情報記録媒体が直接的に印刷、あるいは転写されている。また、商品には情報記録媒体が設けられた封印シールやタグが付与されている。
【０００３】
しかし、近年、これらは情報記録媒体も偽造や複製された不正な有価証券類及び商品が製造されており、情報記録媒体の有無のみで真正品か贋造品（不正品または偽造品・複製品）かを判断することは困難である。
【０００４】
上述した情報記録媒体の一例として、観察角度によって色やパターンが変化する回折格子やホログラムなどがある。また、情報記録媒体の他例として色や明るさが変わるＯＶＤ（Ｏｐｔｉｃａｌｌｙ  Ｖａｒｉａｂｌｅ  Ｄｅｖｉｃｅ)インキやパール顔料などがある。
【０００５】
しかし、情報記録媒体が真であるか贋であるかについては、真の情報記録媒体との比較あるいは専門家の目視検査によれば容易に判別がつくが、一般のユーザは目視で簡単に偽造防止媒体の真贋判定を行うことは難しい。
【０００６】
目視で情報記録媒体の真贋判定ができない場合には、情報記録媒体に対する撮像装置の観察角度を厳密に制御できる特殊な真贋判定装置（例えば、特許文献１参照）が利用される。
しかし、上記真贋判定装置の取り扱いには、専門知識や特殊器具を要するため、一般のユーザがこのような装置を利用して情報記録媒体の真贋判定を行うことは困難である。
【０００７】
また、所定の観察角度により観察されるパターンの光学変化が起こる情報記録媒体の真贋を判定する場合、観察角度に応じて観察されるパターンの光学変化が異なるため、偽造防止媒体を観察する画像撮像装置の撮像方向を決める観察角度の推定をする必要がある。観察角度の推定を行う際、従来においては画像撮像装置に組み込まれたジャイロセンサが用いられている。
さらに、傾きセンサなどで観察角度及び観察位置を検知し、真贋を判定するための適切な観察角度及び観察位置において、情報記録媒体の撮像画像を画像撮像装置により撮像することが考えられる。
【０００８】
しかしながら、一般のユーザには、画像撮像装置と情報記録媒体との位置関係を厳密に把握及び操作することができない。このため、ホログラムを撮像できる適切な観察角度及び観察位置から、画像撮像装置により情報記録媒体を撮像することが困難である。
【０００９】
また、画像撮像装置に対する情報記録媒体の相対的な観察角度及び観察位置により、観察されるパターンが変化する。このため、情報記録媒体に対する画像撮像装置による観察角度を正確に判定するためには、画像撮像装置及び情報記録媒体の各々の角度及び位置を
検出する必要がある。したがって、撮像装置及び情報記録媒体の双方に傾きセンサを装着する必要がある。
【００１０】
そのような問題を解決するため、例えば特許文献２〜４には、従来のような特殊な真贋判定装置を用いることなく、かつ情報記録媒体の設置状況に依存することなく、汎用的なデジタルカメラやスマートフォンなどのような簡易な読み取り装置により、真贋判定（本物か贋物かの識別）に用いる撮像画像を、適切な観察角度及び観察位置において容易に撮像し、情報記録媒体の真贋判定を行うことが可能な識別装置、識別方法が開示されている。
【００１１】
しかしながら、これらの技術においては、鑑定者がスマートフォンなどの携帯情報端末を用いて真贋判定を行う場合、携帯情報端末を傾けて、情報記録媒体の観察角度を変えることにより、強い戻り光が観察される観察角度を探索しながら撮像する作業が必要である。そのような作業はこの技術に詳しい者でない場合は困難であり、また時間を要するという問題があった。
【先行技術文献】
【特許文献】
【００１２】
【特許文献１】特許第３８６５７６３号公報
【特許文献２】特許第６１５６５８６号公報
【特許文献３】特許第６０９８７５９号公報
【特許文献４】特開２０１７−５４２９０号公報
【発明の概要】
【発明が解決しようとする課題】
【００１３】
上記の事情に鑑み、本発明は、携帯情報端末などの簡易な読取装置を用いて、撮像する角度の探索を行うことなく、容易に情報記録媒体の情報を読み取ることが可能な読み取り方法と、読み取った情報から真贋判定可能な真贋判定方法を提供することを課題とする。
【課題を解決するための手段】
【００１４】
上記の課題を解決する手段として、本発明の第一の態様は、撮像素子と表示画面を同一面に備えた携帯情報端末を使用して、戻り光を生じる構造体を表面に備えた情報記録媒体の情報の読取り方法であって、
情報記録媒体の構造体を備えた面と、携帯情報端末の撮像素子と表示画面を備えた面と、を対面して配置する配置工程と、
表示画面の中に照明用パターンを表示しながら、撮像素子を用いて構造体を撮像する撮像工程と、を備えていることを特徴とする情報記録媒体の読取り方法である。
【００１５】
また、本発明の第二の態様は、撮像素子と表示画面を同一面に備えた携帯情報端末を使用して、戻り光を生じる構造体を表面に備えた情報記録媒体の情報を読取る方法であって、
情報記録媒体の構造体を備えた面と、携帯情報端末の撮像素子を備えた面と、を対面して配置することにより、携帯情報端末が情報記録媒体を撮像可能に配置する工程と、
少なくとも表示画面に、照明用パターンを表示する照明用パターン表示工程と、
照明用パターンの照明光によって、情報記録媒体を撮像する情報記録媒体撮像工程と、
撮像工程で撮像された構造体の画像データに基づいて携帯情報端末が演算処理することにより、構造体の位置を検出する位置検出工程と、
位置検出工程にて構造体の位置が検出されたかどうかを判定する位置検出判定工程と、
位置検出判定工程にて構造体の位置が検出された場合に、検出された位置が適正な位置であるかどうかを判定し、構造体の位置が検出されなかった場合に、照明用パターン表示
工程に戻る適正位置判定工程と、
撮像画像の情報を読み込む工程と、
構造体の撮像画像情報を画像情報処理することにより、構造体に記録された情報を読取る画像情報処理工程と、
画像情報処理工程にて構造体に記録された情報を取得できた場合は終了し、取得できなかった場合は、照明用パターン表示工程に戻る情報取得判定工程と、を備えていることを特徴とする情報記録媒体の読み取り方法である。
【００１６】
また、第三の態様は、前記構造体が、２種類以上の異なる回折格子構造を備え、且つ少なくとも一部に反射層を備えていることを特徴とする第二の態様に記載の情報記録媒体の読み取り方法である。
２種類以上の異なる回折格子構造を備え、且つその一部に反射層を備えることにより、情報記録媒体の構造体の位置を容易に検出することが可能となる。
【００１７】
また、第四の態様は、前記照明用パターンから発せられる光が偏光であることを特徴とする第二の態様または第三の態様に記載の情報記録媒体の読み取り方法である。
表示画面として液晶表示装置を使用している場合、表示画面に表示された照明用パターンから発せられる光は偏光であるため、構造体の位置検出および情報取得が可能な構成となっている。
【００１８】
また、第五の態様は、撮像素子と表示画面を同一面に備えた携帯情報端末を使用して、戻り光を生じる構造体を表面に備えた情報記録媒体の真贋判定方法であって、
情報記録媒体の構造体を備えた面と、携帯情報端末の撮像素子を備えた面と、を対面して配置することにより、携帯情報端末が情報記録媒体を撮像可能に配置する工程と、
表示画面に、照明用パターンを表示する照明用パターン表示工程と、
照明用パターンの照明光によって、情報記録媒体を撮像する情報記録媒体撮像工程と、
撮像工程で撮像された構造体の画像データに基づいて携帯情報端末が演算処理することにより、構造体の位置を検出する位置検出工程と、
位置検出工程にて構造体の位置が検出されたかどうかを判定する位置検出判定工程と、
位置検出判定工程にて構造体の位置が検出された場合に、検出された位置が適正な位置であるかどうかを判定し、構造体の位置が検出されなかった場合に、照明用パターン表示工程に戻る適正位置判定工程と、
適正位置判定工程にて構造体の位置が適正であると判定された場合に、構造体の正解画像情報を読み込み、位置が適正でないと判定された場合に、照明用パターン表示工程に戻る正解画像情報読み込み工程と、
撮像画像の情報を読み込む工程と、
構造体の撮像画像情報を画像情報処理することにより、構造体に記録された情報を読取る画像情報処理工程と、
画像情報処理工程にて構造体に記録された情報を取得できた場合は終了し、取得できなかった場合は照明用パターン表示工程に戻る情報取得判定工程と、
情報取得判定工程にて情報を取得できた場合に正解画像情報を読み込む工程と、
取得した画像情報と正解画像情報とを比較し、真贋判定を行う工程と、を備えていることを特徴とする真贋判定方法である。
【００１９】
また、第六の態様は、前記真贋判定を行う工程が、前記取得した画像情報と前記正解画像情報の差の絶対値が予め設定した閾値を越えた場合を贋と判定し、閾値以下である場合を真と判定することを特徴とする第五の態様に記載の真贋判定方法である。
【００２０】
また、第七の態様は、前記真贋判定を行う工程が、前記取得した画像情報と前記正解画像情報の類似度を算出し、その類似度が予め設定した閾値以上の場合を真と判定し、閾値
未満の場合を贋と判定することを特徴とする第五の態様に記載の真贋判定方法である。
【００２１】
また、第八の態様は、前記正解画像情報が、前記携帯情報端末またはインターネット経由でアクセス可能なサーバーに保存されていることを特徴とする第五の態様〜第七の態様のいずれかに記載の真贋判定方法である。
【発明の効果】
【００２２】
本発明の情報記録媒体の読み取り方法によれば、読取装置を用いて情報記録媒体の読み取りを行うにあたって、撮像する角度の探索を行う代わりに、携帯情報端末の表示画面に表示した照明用パターンの表示画面上の位置を変更して照明光を発することにより、情報記録媒体と携帯情報端末の位置関係を固定して読み取る事が可能となる。そのため、専門家などの熟練者でなくても、容易に情報記録媒体を読み取る事ができる。また、読み取った情報に基づき、真贋判定が可能となる。
【図面の簡単な説明】
【００２３】
【図１】本発明の情報記録媒体の読み取り方法を例示する説明図であって、情報記録媒体と読取装置の配置関係と、読取装置の表示画面に表示された照明用パターンから構造体への入射光と、その入射光により構造体から発せられる戻り光と反射光の関係を示し、戻り光が読取装置の撮像素子に入射する例、および入射しない例、を示している。
【図２】本発明の情報記録媒体の読み取り方法の作業フローを例示するフロー図である。
【図３】本発明の情報記録媒体の真贋判定方法の作業フローを例示するフロー図である。
【図４】本発明の情報記録媒体の読み取り方法の作業フローを例示するフロー図である。
【発明を実施するための形態】
【００２４】
本発明は、スマートフォンなどの携帯情報端末を使用して、情報記録媒体に備えられた戻り光を発する構造体に記録された情報を取得する情報記録媒体の読み取り方法と、取得した情報と、真正品であることを表す正解画像情報とを比較することによって真贋判定を行う真贋判定方法である。
【００２５】
ここで、戻り光とは、構造体に照明光が照射された場合に、構造体から発せられる光を指す。戻り光を生成する機構としては、散乱を起こす表面の凹凸構造やホログラムや回折格子素子の様な回折格子による回折光を生成する機構だけでなく、各種の構造色を呈する構造を適用可能である。例えば、光の波長程度の薄い膜、多層干渉膜、微細な凹凸構造、微粒子、などの構造色が該当する。
【００２６】
本発明の情報記録媒体の読み取り方法は、撮像素子と表示画面を同一面に備えた携帯情報端末を使用して、戻り光を生じる構造体を表面に備えた情報記録媒体の情報の読取り方法である。
情報記録媒体の構造体を備えた面と、携帯情報端末の撮像素子と表示画面を備えた面と、を対面して配置する配置工程と、表示画面の中に表示画面より小さい照明用パターンを表示する位置を変更しながら撮像素子を用いて構造体を撮像する撮像工程と、撮像工程にて撮像した撮像画像と正解画像とを比較する真正性判定工程と、を備えていることが特徴である。
【００２７】
本発明の情報記録媒体の読み取り方法を、図を用いて更に詳しく説明する。
図１は、本発明の情報記録媒体の読み取り方法を実施する際の情報記録媒体１０と、情報記録媒体１０を撮像し情報を読み取る携帯情報端末１と、の配置関係を例示した説明図である。
【００２８】
携帯情報端末１は、撮像素子２と、情報を表示する表示画面３が携帯情報端末１の同じ
側に備えられている。携帯情報端末１の撮像素子２を、情報記録媒体１０を撮像可能な位置に配置する。通常は、情報記録媒体１０の上方に配置する。また、情報記録媒体１０が載置された平面とほぼ平行に携帯情報端末１を配置した状態で、ほぼ固定して撮像を行う。
【００２９】
撮像を行うに際し、まず情報記録媒体１０に備えられた構造体１１を照明する。照明は、携帯情報端末１の表示画面３に表示した照明用パターンにより行う。図１では、照明用パターンａ４と照明用パターンｂ５が例示されている。これらの照明用パターンは、１つずつ表示し、情報記録媒体１０を照明し、その都度、情報記録媒体１０を撮像する。照明用パターンａ４と照明用パターンｂ５は、表示画面３上の異なる位置に表示される。このことにより、情報記録媒体１０を異なる角度から照明するのと同様のことが実施可能である。
【００３０】
具体的には、例えば照明用パターンａ４を表示し、情報記録媒体１０を撮像する。その時、照明用パターンａ４から情報記録媒体１０の構造体１１には、入射光１２が入射する。入射光１２に対する戻り光１２Ｂが撮像素子２によって撮像され、明るい画像情報が取得される。入射光１２に対する反射光１２Ａは、撮像素子２に入射せず、撮像されない。
【００３１】
次に、照明用パターンｂ５を表示し、情報記録媒体１０を撮像する。その時、照明用パターンｂ５から情報記録媒体１０の構造体１１には、入射光１３が入射する。入射光１３に対する戻り光１３Ｂが撮像素子２に入射しないため、暗い像情報が取得される。入射光１３に対する反射光１３Ａは、撮像素子２に入射せず、撮像されない。
【００３２】
以上は照明を、携帯情報端末１の表示画面３に表示した照明用パターンにより行う場合に、表示画面３の中に表示画面３より小さい照明用パターンを表示する位置を変更しながら撮像素子２を用いて構造体１１を撮像する場合を例として説明したが、照明用パターンを例えば表示画面の全体または一部を１つの照明用パターンとしても良い。
【００３３】
この様にして、撮像される構造体１１の明るさや色などの像情報と、照明用パターンと構造体１１との角度の情報が、予め保存されている真正品であることを示す正解画像情報と対比することによって真正品であるか、どうかを判定することができる。
【００３４】
＜情報記録媒体の読み取り方法＞
次に、情報記録媒体の読み取り方法について、図２に示したフロー図を用いて更に詳しく説明する。
本発明の情報記録媒体の読み取り方法においては、読み取りを開始すると、Ｓ１（ステップ１）〜Ｓ９（ステップ９）の各ステップを経て、情報録媒体を読み取る。
【００３５】
（Ｓ１：照明用パターン表示）
まず、携帯情報端末の表示画面に照明用パターンを表示する。
ここで表示する照明用パターンは、予め設定した一定形状を備えた照明用パターンを、表示画面上の予め設定した位置に、順次、表示しても良い。正解画像と一致するのかどうか、を判定するための最小限の画像情報を取得するため、正解画像で明るく表示される角度に相当する照明用パターンの表示画面上の表示位置とそれ以外の位置の２点のみを調べることでも良い。また、任意の形状の照明用パターンを、表示画面上の任意の位置に表示しても良い。
【００３６】
（Ｓ２：情報記録媒体の撮像）
次に、照明用パターンによって照明された情報記録媒体を、撮像素子を介して携帯情報端末が撮像し、情報記録媒体の撮像画像情報として取得し、記憶装置に記憶する。記憶装
置は、携帯情報端末の内部でも良いし、外部のアクセス可能な記憶装置に記憶しておくことでも良い。
【００３７】
（Ｓ３：構造体の位置検出）
次に、携帯情報端末が取得した画像情報に基づいて、情報記録媒体に備えられている構造体の三次元空間における座標（Ｘ、Ｙ、Ｚ）を検出する。
座標を検出する方法は幾つかの方法がある。例えば、予め情報記録媒体の大きさに関する情報を保存しておき、取得した画像情報における情報記録媒体の大きさから情報記録媒体と携帯情報端末の距離および三次元空間における座標（Ｘ、Ｙ、Ｚ）を算出することができる。その様な処理プログラムを携帯情報端末にインストールして置くことによって実施可能となる。また、距離センサを備えた携帯情報端末を使用しても良い。また、情報記録媒体との決められた距離に携帯情報端末を配置する手段を使用しても構わない。その他の手段を使用しても構わない。
【００３８】
（Ｓ４：構造体の位置を検出したかどうかの判定）
次に、構造体の位置を検出したかどうかを判定する。構造体の位置を検出した場合は、Ｓ５に進む。また、構造体の位置が検出できなかった場合は、Ｓ１に進み、Ｓ１からＳ３までを実行する。
【００３９】
（Ｓ５：検出した位置が適正であるかどうかの判定）
次に、Ｓ４で検出した構造体の位置が適正であるかどうかを判定する。検出した構造体の位置が適正である場合は、Ｓ７に進む。検出した構造体の位置が適正でない場合は、Ｓ１に進み、Ｓ１からＳ４までを実行する。
【００４０】
（Ｓ７：撮像画像情報の読み込み）
次にＳ２で取得した撮像画像情報が記憶されている記憶装置にアクセスし、撮像画像情報を読み出す。撮像画像情報は、位置検出用の位置検出用画像情報と情報読み出し・真贋判定用の検証用画像情報を含んでいる。位置検出用画像情報としては、アライメントをする専用の画像を使用することができる。
【００４１】
（Ｓ８：画像情報処理）
次に、記憶装置から読み出した正解画像情報と真正性を判定する対象である撮像画像情報から、位置情報と色情報を取得する。
そのため、以下の処理を実行する。
・  撮像画像情報の歪みを補正して位置情報を算出する。
・  予め設定した構造体内の範囲における色情報を算出する。
・  算出した色情報を、構造体内の他の範囲（１枚の撮像画像の中の異なる場所）における色情報、または複数の撮像画像の中の他の画像から得られた色情報を使用して、補正する。
【００４２】
（Ｓ９：情報を取得したかどうかの判定）
次に、Ｓ８において、補正された、位置情報と、色情報と、が取得されたかどうかを判定する。取得された場合は終了する。取得されなかった場合はＳ１に進み、Ｓ１からＳ８までを実行する。
【００４３】
情報記録媒体の読み取り方法を示すフロー図については、図４に示したフロー図であっても良い。
すなわち、読み取りを開始すると、Ｓ１´（ステップ１´）〜Ｓ９（ステップ９）の各ステップを経て、情報録媒体を読み取ることができる。
【００４４】
（Ｓ１´：位置検出用画像の表示）
図２におけるＳ１と同等である。
【００４５】
（Ｓ２：情報記録媒体の撮像）
図２におけるＳ２と同等である。
【００４６】
（Ｓ３：構造体の位置検出）
図２におけるＳ３と同等である。
【００４７】
（Ｓ４：位置検出したか）
図２におけるＳ４と同等である。
【００４８】
（Ｓ５：適正位置であるかの判定）
図２におけるＳ５と同等である。
【００４９】
（Ｓ６：検証用画像の表示）
検証用画像を表示画面に表示する。
【００５０】
（Ｓ７´：情報記録媒体の撮像）
情報記録媒体を撮像素子により撮像する。
【００５１】
（Ｓ８：画像情報処理）
図２におけるＳ８と同等である。
【００５２】
＜真贋判定方法＞
次に、本発明の情報記録媒体の読み取り方法によって取得した、補正された撮像画像情報と正解画像情報に基づいて真贋判定を実施する方法について説明する。
【００５３】
本発明の真贋判定方法は、図３に例示した様に、情報記録媒体の読み取り方法の作業フロー図とＳ９までは同じであるので、説明は省略する。
【００５４】
（Ｓ１０：正解画像情報読み込み）
構造体の正解画像情報が記憶されている記憶装置にアクセスし、正解画像情報を読み出す。
【００５５】
（Ｓ１１：撮像画像情報と正解画像情報の比較）
Ｓ８の画像情報処理で算出した構造体の位置情報および色情報を、正解画像情報の位置情報および色情報と比較する。
【００５６】
比較する方法としては、検査対象の情報記録媒体の構造体の位置（座標）と色（ＲＧＢ強度：赤色、緑色、青色の明るさの強度）の差をとることによって比較することが可能である。
【００５７】
例えば、正解画像情報における構造体の座標（情報記録媒体が載置された平面と平行な平面内における座標）と検査対象である撮像画像情報における構造体の座標のずれを算出することができる。また正解画像情報と撮像が像情報における構造体の色の差を、赤色、緑色、青色の各色における明るさの強度の差を数値化することで算出することができ、それらの算出した値と、真贋判定の基準となる閾値を設定しておくことにより、比較が可能となる。しかしながら、この様な方法に限定することを意味するものではない。
【００５８】
（Ｓ１２：真贋判定）
Ｓ１１で取得した数値的な差を用いて、その差が予め設定した閾値以内かどうか、によって真贋判定を行う。閾値以内であれば真、閾値を超える場合は贋、と判定する。
【符号の説明】
【００５９】
１・・・読取装置（携帯情報端末）
２・・・撮像素子
３・・・表示画面
４・・・照明用パターンａ
５・・・照明用パターンｂ
１０・・・情報記録媒体
１１・・・（戻り光を生じる）構造体
１２・・・（照明用パターンａから（戻り光を生じる）構造体への）入射光
１２Ａ・・・（照明用パターンａからの光に対する（戻り光を生じる）構造体からの）反射光
１２Ｂ・・・（照明用パターンａからの光に対する（戻り光を生じる）構造体からの）戻り光
１３・・・（照明用パターンｂから（戻り光を生じる）構造体への）入射光
１３Ａ・・・（照明用パターンｂからの光に対する（戻り光を生じる）構造体からの）反射光
１３Ｂ・・・（照明用パターンｂからの光に対する（戻り光を生じる）構造体からの）戻り光
【図１】
2019074778.tif 000003
【図２】
2019074778.tif 000004
【図３】
2019074778.tif 000005
【図４】
2019074778.tif 000006